【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】  複数の弧状外壁部材及び複数の内側ウエブ部材が両端を有する複数のセルを形成するように複数の内側ウエブ部材によって接続された複数の弧状外壁部材を有する本体部分と、
弧状面部分及び境界面部分を有する第１の閉鎖モジュールであって、前記境界面部分は、前記弧状面部分の周縁部と一体的に接続された周縁部を有し、前記弧状面部分及び前記境界面部分は、集合的に、または少なくとも１つの他の境界面部分と組み合わせられて、閉鎖モジュール開口を備えた閉鎖モジュール室を形成し、前記閉鎖モジュール開口は、前記弧状面部分と前記境界面部分との自由縁、若しくは、前記弧状面部分、前記境界面部分及び前記少なくとも１つの他の境界面部分の自由縁によって形成されている、第１の閉鎖モジュールと、
前記第１の閉鎖モジュールに隣接して配置された第２の閉鎖モジュールであって、弧状面部分と境界面部分を有し、前記境界面部分は、前記弧状面部分の周縁部と一体的に接続された周縁部を有し、前記弧状面部分及び前記境界面部分は、集合的に、または少なくとも１つの他の境界面部分と組み合わせられて、閉鎖モジュール開口を備えた閉鎖モジュール室を形成し、前記閉鎖モジュール開口は、前記弧状面部分と前記境界面部分との自由縁、若しくは、前記弧状面部分、前記境界面部分及び前記少なくとも１つの他の境界面部分の自由縁によって形成されている、第２の閉鎖モジュールと、を有し、
前記第１の閉鎖モジュールの前記境界面部分は、前記第２の閉鎖モジュールの前記境界面部分に隣接するように当接し結合されるように構成され配置されている、複数セル圧力容器の端部閉鎖構造を構成する一組の閉鎖モジュール。
【請求項２】  前記第１の閉鎖モジュールの前記境界面部分及び前記第２の閉鎖モジュールの前記境界面部分は、平坦であり、前記第１の閉鎖モジュール及び第２の閉鎖モジュールを複数のセルのそれぞれ関連するセルの端部に接続することによって互いに当接し結合されるように構成され配置されている請求項１に記載の一組の閉鎖モジュール。
【請求項３】  前記第１の閉鎖モジュールの前記境界面部分及び前記第２の閉鎖モジュールの前記境界面部分は平坦であり、前記複数のセルとは独立して互いに結合されている請求項１に記載の一組の閉鎖モジュール。
【請求項４】  前記第１の閉鎖モジュールは、内側を向いたフランジを有する段付き継ぎ手を有し、前記段付き継ぎ手は、前記第１の閉鎖モジュールの前記閉鎖モジュール開口の少なくとも一部の周りに形成され、前記複数のセルの関連するセルの端部に挿入され、結合され、前記端部を閉じるように構成され、配置される請求項１に記載の一組の閉鎖モジュール。
【請求項５】  前記段付き継ぎ手は、前記第１の閉鎖モジュールの前記閉鎖モジュール開口の周りに連続して延びている請求項４に記載の一組の閉鎖モジュール。
【請求項６】  前記段付き継ぎ手は、前記段付き継ぎ手と前記複数のセルの関連するセルの内周との間に連続して接触することができるように前記関連するセルの端部に挿入され結合されるように構成され配置される請求項５に記載の一組の閉鎖モジュール。
【請求項７】  前記段付き継ぎ手の一部分は、弧状の形状を有し、前記弧状外壁部材の対応する１つの内周に連続して接触するように構成され配置される請求項４に記載の一組の閉鎖モジュール。
【請求項８】  前記第１の閉鎖モジュールの前記弧状面部分はドーム形状である請求項１に記載の一組の閉鎖モジュール。
【請求項９】  前記本体部分は、前記複数の内側ウエブ部材の縁部によって周縁部が形成された少なくとも１つの内側セルを有し、
前記閉鎖モジュールの組は、弧状面部分及び複数の境界面部分を有する内側閉鎖モジュールを有し、
前記内側閉鎖モジュールの前記境界面部分は、それぞれ縁部を含み、前記縁部は閉鎖モジュール開口を形成し、前記少なくとも１つの内側セルの端部を閉鎖するように構成され配置される請求項１に記載の一組の閉鎖モジュール。
【請求項１０】  前記閉鎖モジュールの組の前記第１の閉鎖モジュールは、端部閉鎖モジュールである請求項１に記載の閉鎖モジュールの組。
【請求項１１】  前記閉鎖モジュールの組の前記第１の閉鎖モジュールは、中間閉鎖モジュールである請求項１に記載の閉鎖モジュールの組。
【請求項１２】  前記閉鎖モジュールの組の前記第２の閉鎖モジュールは、端部閉鎖モジュールである請求項１１に記載の閉鎖モジュールの組。
【請求項１３】  複数の弧状外壁部材を有し、複数の内側ウエブ部材により結合された該弧状外壁部材および内側ウエブ部材が集合的に複数のセルを形成し、複数のセル室開口の周縁を形成する端部で終わっている本体部分を備え、
請求項１の前記閉鎖モジュールの組の各々が、前記セル室開口で前記複数のセルのそれぞれのセルの関連する端部を閉鎖する複数セル圧力容器。
【請求項１４】  前記第１の閉鎖モジュールの前記境界面部分及び前記第２の閉鎖部材の前記境界面部分は、平坦であり、互いに当接している請求項１３に記載の複数セル圧力容器。
【請求項１５】  前記第１の閉鎖モジュールの前記境界面部分及び前記第２の閉鎖部材の前記境界面部分は、平坦であり、前記セルとは独立して互いに接続されている請求項１３に記載の複数セル圧力容器。
【請求項１６】  前記第１の閉鎖モジュールは、内側を向いたフランジを有する段付き継ぎ手を有し、前記段付き継ぎ手は、前記第１の閉鎖モジュールの開口の少なくとも一部の周りに形成され、前記複数のセルの関連するセルの前記複数のセル室開口の１つに挿入され、結合され閉鎖する請求項１３に記載の複数セル圧力容器。
【請求項１７】  前記段付き継ぎ手は、前記第１の閉鎖モジュールの前記閉鎖モジュール開口の周りに連続して延びている請求項１６に記載の複数セル圧力容器。
【請求項１８】  前記段付き継ぎ手は、前記関連するセルの内周に前記段付き継ぎ手を連続して接触させるように前記複数のセルの関連するセルの前記複数のセル室開口の１つに挿入され結合される請求項１７に記載の複数セル圧力容器。
【請求項１９】  前記段付き継ぎ手の一部は、少なくとも１つの前記弧状外壁部材に連続的に接触する弧状を形成する請求項１６に記載の複数セル圧力容器。
【請求項２０】  前記第１の閉鎖モジュールの前記弧状面部分はドーム形状である請求項１３に記載の複数セル圧力容器。
【請求項２１】  前記本体部分は、前記複数の内側ウエブ部材の縁部によってその周縁が形成された少なくとも１つの内側セルを有し、
前記閉鎖モジュールの組は、弧状面部分及び複数の境界面部分を有する内側閉鎖モジュールを有し、
前記内側閉鎖モジュールの前記境界面部分は、それぞれ縁部を有し、前記縁部は集合的に、閉鎖モジュール開口を形成し、前記少なくとも１つの内側セルの端部を閉鎖する請求項１３に記載の複数セル圧力容器。
【請求項２２】  前記閉鎖モジュールの組の前記第１の閉鎖モジュールは、端部閉鎖モジュールである請求項１３に記載の複数セル圧力容器。
【請求項２３】  前記閉鎖モジュールの組の前記第１の閉鎖モジュールは、中間閉鎖モジュールである請求項１３に記載の複数セル圧力容器。
【請求項２４】  前記閉鎖モジュールの組の前記第２の閉鎖モジュールは、端部閉鎖モジュールである請求項２３に記載の複数セル圧力容器。
【請求項２５】  前記第１の閉鎖モジュールの前記境界面部分は、平坦な内面と該平坦な内面に対向する平坦な外面とを含み、
前記第２の閉鎖モジュールの前記境界面部分は、平坦な内面と該平坦な内面に対向する平坦な外面とを有し、
前記第１の閉鎖モジュールの前記内面部分の前記平坦な外面は、前記第２の閉鎖モジュールの前記境界面部分の前記平坦な外面に連続的に当接し、結合されている請求項１３に記載の複数セル圧力容器。
【請求項２６】  請求項１３から２５のいづれかに記載の複数セル圧力容器を有する乗物。